(57)【要約】【課題】  より立体感を出すことができ、掛け布団というよりも衣装そのものの裏側（背中側）がないだけのものとして表面構成部を形成し、デザインの自由度を高め、遺体とともに焼却しても有害物質を出さないようにする。【解決手段】  棺（１）に収容された遺体（２）用の衣装であって、白無垢の和服、帯、帯どめ、帯あげ、内かけ、はかま、羽織、足袋、草履など遺族の要望によりデザインされ、かつ生地を複数層に重ねて立体的につくられた表面構成部（３）のみから成り、この表面構成部（３）を遺体（２）の形状に倣うようにかぶせて置き、表面構成部（３）を形成する材料として焼却時に有害物質が発生しない材料を用いたものである。【選択図】        図１
2005076161.tif 000002
【特許請求の範囲】
【請求項１】
棺に収容された遺体用の衣装であって、
白無垢の和服、帯、帯どめ、帯あげ、内かけ、はかま、羽織、足袋、草履など遺族の要望によりデザインされ、かつ生地を複数層に重ねて立体的につくられた表面構成部のみから成り、
この表面構成部を遺体の形状に倣うようにかぶせて置き、
表面構成部を形成する材料として焼却時に有害物質が発生しない材料を用いたことを特徴とする遺体用の衣装。
【請求項２】
棺の内周面にヒダ付装飾布を張りめぐらし、この装飾布と表面構成部とが重なり合うことを特徴とする請求項１に記載の遺体用の衣装。
【請求項３】
男性用として白無垢の羽織、はかまを含む和服、女性用として白無垢の内かけを含む和服をデザインした表面構成部としたことを特徴とする請求項１又は２に記載の遺体用の衣装。
【請求項４】
表面構成部は、綿若しくは天然繊維から形成されていることを特徴とする請求項１ないし３のいずれか１項に記載の遺体用の衣装。
【請求項５】
表面構成部は、綿を伸ばして遺体の上に衣装の形に複数層重ねて置くようにしたことを特徴とする請求項１ないし４のいずれか１項に記載の遺体用の衣装。
【発明の詳細な説明】
【技術分野】
【０００１】
この発明は、棺に収容された遺体用の衣装に関する。
【背景技術】
【０００２】
従来の棺に収容された遺体用の衣装としては、遺体に死に装束を着用させ、その上に布団をかけるだけであることが、広く行われていた。そして、この遺体用掛け布団としては、その表面にドレスをデザインしたものが知られている（例えば、特許文献１参照）。これは、遺体に掛ける布団をレースやチュール等の布を用い、布団の表面をドレスのように、平面的あるいは立体的にデザインし、そしてブーケのような刺繍やアップリケ、プリント等を施すなどして、遺体がドレスを着ているかのように、美しく演出する、というものである。
【特許文献１】実用新案登録第３０８２７８７号公報（第４頁、図１）
【発明の開示】
【発明が解決しようとする課題】
【０００３】
上記特許文献１に記載のものでは、掛け布団の表面を工夫するだけのものであり、立体感に乏しく、しかもデザインの自由度も低い（文献では女性用ドレスに限っている）。さらに、この布団を遺体とともに焼却していいのかどうか不明であり、仮に焼却したときに有害物質が発生しないかどうかの配慮はなされていないものである。
そこで、この発明はより立体感を出すことができ、掛け布団というよりも衣装そのものの裏側（背中側）がないだけのものとして表面構成部を形成し、デザインの自由度を高め、遺体とともに焼却しても有害物質を出さないようにした遺体用の衣装を提供することを目的とする。
【課題を解決するための手段】
【０００４】
上述の目的を達成するため、この発明は、棺に収容された遺体用の衣装であって、白無垢の和服、帯、帯どめ、帯あげ、内かけ、はかま、羽織、足袋、草履など遺族の要望によりデザインされ、かつ生地を複数層に重ねて立体的につくられた表面構成部のみから成り、この表面構成部を遺体の形状に倣うようにかぶせて置き、表面構成部を形成する材料として焼却時に有害物質が発生しない材料を用いたことを特徴とする遺体用の衣装を用いたものである。
【発明の効果】
【０００５】
この発明では、死に装束をまとった遺体を動かすことなく、この表面構成部を遺体の形状に倣うようにかぶせて置けば、表面構成部が生地を複数層に重ねて立体的につくられているために、本物の衣装のように見え、布団の表面に装飾を施したドレスなどに比べて立体感が素晴らしいものとなる。また、デザインの自由度が高く、焼却時の有害性もないものである。さらに、装飾布を棺の内周面に張りめぐらしたものでは、この装飾布が表面構成部と重なり合うために、表面構成部の側縁がかくれるので、衣装そのものに見えるとともに、衣装の立体感や衣装の存在自体を引き立てる。
【発明を実施するための最良の形態】
【０００６】
図１に示す実施形態は、棺１に収容された遺体２に対して、遺体２を動かすことなく、表面構成部３を遺体２の形状に倣うようにかぶせてあり、表面構成部３には遺体２の頭部をおおう帽体部４も一体に形成してある。また、棺１の内周面にヒダ付装飾布５を張りめぐらし、この装飾布５と表面構成部３とが重なり合って、より詳しくいうと、装飾布５で表面構成部３の周囲をおおうようにしてある。表面構成部３と帽体部４とは綿で形成し、装飾布５は絹で形成した。
【０００７】
前記表面構成部３は、白無垢の和服、帯、帯どめ、帯あげ、内かけ、足袋、草履をデザインしてあり、かつ生地を複数層に重ねて立体的につくられている。この表面構成部３の背中側の部分はなく、単に遺体２に布団と同じようにかぶせるだけのものであるが、布団の表面を着物のようにデザインしたものではなく、初めから生地を重ねて着物の表面側と同じ構造にデザインしたものであり、立体感に優れる。また、帽体部４を一体に形成したものでは、女性用の場合には、花嫁衣裳の「角かくし」と同じように遺体２を装飾することができる。
なお、この帽体部４を形成しないものであってもよい。
【０００８】
図２に示す実施形態は、男性用にデザインされたものであり、はかま、羽織、帯、足袋、草履などを生地を重ねて立体的に表面構成部３を作ったものである。女性用の表面構成部３と同様に帽体部４を一体に形成してもよい。さらに、この男性用の衣装においても、棺１の内周面に装飾布５を張りめぐらし、装飾布５で表面構成部３の周囲をおおうようにセットしてある。
【０００９】
上述した実施形態では、表面構成部３と帽体部４を綿、装飾布５を絹とにしたが、遺体２の焼却時に一緒に燃やしたときに有害物質が出ない材料を選択することが必要であり、綿や絹以外の材料であっても有害物質をださないものであれば使用できる。これらの材料としては、天然繊維が好適に用いられる。また、帽体部４を表面構成部３の一部（外側部分）と一体に形成したものでは、表面構成部３が遺体２の足許の方向へずれようとしてもこの帽体部４が遺体２の頭部にあたって表面構成部３がずれるのを防止することができる。
【００１０】
上述したものでは、表面構成部３のデザインを白無垢の和服としたが、遺族の希望により、洋服とすることも勿論可能である。なお、和服の場合、遺体２のサイズに関係なく遺体２をおおうことができる。例えば、遺体２が小柄であった場合、和服の裾を上げておくことで違和感も少なく、和服を着ている感じを損なわない。なお、表面側だけなので、遺体のサイズに合わせてつくることも容易である。
【００１１】
前記表面構成部３のつくり方の一例としては、薄いシート状あるいは板状に伸ばした綿を遺体の上に着物の形に整えつつ置き、下着、中着、上着などのように重ねて置くことが最も簡単な方法であり、低コストである。しかしながら、部分部分を縫い付けたり、テープなどで貼り合せたりすることも可能である。綿を伸ばして幾重にか重ねて和服の形の表面構成部３を形成するとき、納棺時に遺族の眼前で手早く衣装をかたどることができ、遺族に感動を与えることができる。
【図面の簡単な説明】
【００１２】
【図１】女性用の遺体用衣装を示す図。
【図２】男性用の遺体用衣装を示す図。
【符号の説明】
【００１３】
１    棺
２    遺体
３    表面構成部
５    装飾布
【図１】
2005076161.tif 000003
【図２】
2005076161.tif 000004